(57)【要約】【課題】箱状に形成されて、内部に第１商品および柱状の第２商品を収容する商品パッケージにおいて、大幅なコストアップを招くことなく第２商品の動きを防止する。【解決手段】１枚の透明な板状部材を折り曲げることにより、前後左右の側板（１１〜１４）、蓋板（１５）、および底板（１６）が形成されてなり、内部に柱状の第２商品（４０）を収容する商品パッケージ（１）において、側板（１４）の上縁（１４Ｕ）から内方に折り曲げられた第１の延長部（１４ａ）を設ける。この第１の延長部（１４ａ）に、上縁（１４Ｕ）に対して略直交する方向に延びる折り曲げ線（１４Ｌ）を基端として舌状に打ち抜かれた打ち抜き部（１４ｃ）を形成する。打ち抜き部（１４ｃ）には貫通孔（１４ｄ）を設け、第２商品（４０）を貫通孔（１４ｄ）に嵌挿させて該第２商品（４０）を、一端が底板（１６）から離れ他端が底板（１６）に接した斜め状態にして吊り掛け保持する。【選択図】図１
2019087233.tif 000002
【特許請求の範囲】
【請求項１】
１枚の板状部材を折り曲げることにより、前後左右の側板、前後いずれかの側板の上端に連設された蓋板、および底板が形成されてなる箱状の商品パッケージであって、内部に第１商品および、柱状の商品である第２商品を収容する商品パッケージにおいて、
左右の側板の少なくとも一方が、側板の上縁から内方に折り曲げられた第１の延長部を有し、
前記第１の延長部に、前記上縁に対して略直交する方向に延びる折り曲げ線を基端として舌状に打ち抜かれ、前記折り曲げ線から底板側に向かうように折り曲げられた打ち抜き部が形成され、
前記打ち抜き部が、前記第２商品の長さ方向の一端近傍部分を、該打ち抜き部に設けられた貫通孔に嵌挿させて該第２商品を、一端が底板から離れ他端が底板に接した斜め状態にして吊り掛け保持するようにされた商品パッケージ。
【請求項２】
前記打ち抜き部に、前記貫通孔の周囲において該打ち抜き部の一部が折り曲げられて立ち上がり、前記第２商品の外周面に接して該第２商品の長軸周りの回転を規制する複数の凸部が設けられている請求項１に記載の商品パッケージ。
【請求項３】
前記複数の凸部のうち少なくとも１つが、前記第２商品に下方から接する位置に設けられている請求項２に記載の商品パッケージ。
【請求項４】
前記第１の延長部から前記上縁と反対側に延長され、前記上縁と略平行な折り曲げ線で折り曲げられて、前記第１商品と前記第２商品との間を底板側に延びる第２の延長部がさらに設けられている請求項１から３いずれか１項に記載の商品パッケージ。
【請求項５】
前記第２の延長部が、先端が底板に当接する位置まで延びている請求項４に記載の商品パッケージ。
【請求項６】
前記打ち抜き部が、前記第１の延長部を有する側板と向かい合う側板と、吊り掛け保持されている前記第２商品との間に緊密に前記第１商品を配置可能とする位置に設けられている請求項４または５に記載の商品パッケージ。
【請求項７】
前記第２商品が、開口を備えた有底円筒状の容器本体と、この容器本体の開口を閉じる蓋体とを有するものであり、
前記打ち抜き部が、前記貫通孔に前記蓋体の一部を嵌挿させる位置に設けられている請求項１から６いずれか１項に記載の商品パッケージ。
【請求項８】
前記容器本体が内部に液体を貯えるものである請求項７に記載の商品パッケージ。
【請求項９】
前記第２商品が概略円柱状の全体形状を有するものであり、前記貫通孔が概略円形である請求項１から８いずれか１項に記載の商品パッケージ。
【請求項１０】
前記第１の延長部の少なくとも一部が、前記第１商品に上方から接する位置まで延ばされている請求項１から９いずれか１項に記載の商品パッケージ。
【請求項１１】
前記板状部材が透明な部材である請求項１から１０いずれか１項に記載の商品パッケージ。
【請求項１２】
前記底板の、前記第２商品の他端が接する箇所を含む一部分が、その他の底板部分よりも高く形成されている請求項１から１１いずれか１項に記載の商品パッケージ。
【請求項１３】
前記第１商品が、開口を備えた有底の容器本体と、この容器本体の開口を閉じる蓋体とを有するものであり、
前記第１商品を、その蓋体が上側に位置する正立状態で前記底板の上に載置可能とされている請求項１から１２いずれか１項に記載の商品パッケージ。
【発明の詳細な説明】
【技術分野】
【０００１】
本開示は商品パッケージに関し、特に詳細には、１枚の透明板状部材から箱状に形成されて、内部に柱状の商品と、それとは別の商品とを収容する商品パッケージに関する。
【背景技術】
【０００２】
従来、各種商品を収容する商品パッケージとして、例えば特許文献１および２に示されているように、１枚の板状部材を折り曲げて箱状に形成された商品パッケージが広く知られている。そのような商品パッケージにおいて、特に、収容された商品を外部から観察可能とするために、板状部材として透明プラスチック板等の透明板状部材を用いたものも知られている。【０００３】
また、上述のように透明板状部材を用いた商品パッケージにおいて、特許文献１および２にも示されているように、内部に仕切りを設け、その仕切りを間に挟んで２つの商品を収容するようにした商品パッケージも公知となっている。なお、例えば化粧品を収容する商品パッケージ等にあっては、上記２つの商品が、一方は通常の販売用の主たる商品、他方はその主たる商品に関連する試供品等の商品、という組み合わせであることが多い。【０００４】
ここで、試供品等の商品は、通常、主たる商品よりは小さいものである。また、そのような小さい商品は、細長い柱状の外形を有するものであることが多い。つまり、例えば化粧品の試供品等は、開口を備えて内部に化粧料を貯える有底円筒状の容器本体と、この容器本体の開口を閉じる蓋体とを備えて、全体として細長い円柱状に形成されることが多い。
【先行技術文献】
【特許文献】
【０００５】
【特許文献１】特開２００３−９５２５０号公報
【特許文献２】特開２００６−８１９７号公報
【発明の概要】
【発明が解決しようとする課題】
【０００６】
上述したように、主たる商品と、それよりも小さい商品とを収容する箱状の商品パッケージは、当然、小さい方の商品だけを収容するには大き過ぎるものである。また、商品パッケージの小さい方の商品を収容する部分だけに着目してみても、一般に、縦、横、高さのうちのいくつかが、この商品のサイズに対して大き過ぎる場合が多い。つまり、箱状の商品パッケージの縦、横、高さのうちのいくつかは、主たる商品のサイズに合わせて定められることが多いからである。【０００７】
以上の理由により、商品パッケージ内で試供品等の商品が、その外形に対して大き過ぎる空間に収容されていると、商品パッケージの輸送中に振動を受ける等により、商品が動くことがある。特にこの商品が細い柱状のものである場合は、一般に、そのような動きが生じやすい。こうして柱状の商品が動いてしまうと、以下のような問題を招くことがある。【０００８】
すなわち、例えば商品出荷段階では、透明な商品パッケージ内で良く目立つように柱状の商品の向きや姿勢を整えておいても、輸送を経て商品パッケージが店頭等に置かれた段階では柱状の商品の向きや姿勢が変わってしまって、通常小さな柱状の商品が有ることが分かり難くなる。さらに、商品出荷段階で柱状の商品の向きや姿勢を、この商品に付いているラベルが良く見えるように設定しておいても、商品パッケージが店頭等に置かれた段階ではラベルが見え難くなって、柱状の商品が何であるかをユーザーが理解し難くなることもある。なお、勿論ながら、柱状の商品が動いてしまう事態は、輸送中の振動以外の原因によっても起こり得るものである。【０００９】
上述のような問題を招かないように、商品パッケージ内に、柱状の商品の動きを規制する部材を別途設けておくことも考えられる。しかし、そのような部材を追加で設けると、商品パッケージの製造コストが明らかに高くなってしまう。【００１０】
本発明は上記の事情に鑑みてなされたものであり、１枚の透明板状部材から箱状に形成されて、内部に柱状の商品と、それとは別の商品とを収容する商品パッケージにおいて、大幅なコストアップを招くことなく、柱状の商品の動きを防止することを目的とする。
【課題を解決するための手段】
【００１１】
本発明による商品パッケージは、
１枚の板状部材を折り曲げることにより、前後左右の側板、前後いずれかの側板の上端に連設された蓋板、および底板が形成されてなる箱状の商品パッケージであって、内部に第１商品および、柱状の商品である第２商品を収容する商品パッケージにおいて、
左右いずれかの側板が、側板の上縁から内方に折り曲げられた第１の延長部を有し、
第１の延長部に、上記側板の上縁に対して略直交する方向に延びる折り曲げ線を基端として舌状に打ち抜かれ、この折り曲げ線から底板側に向かうように折り曲げられた打ち抜き部が形成され、
打ち抜き部が、第２商品の長さ方向の一端近傍部分を、該打ち抜き部に設けられた貫通孔に嵌挿させて該第２商品を、一端が底板から離れ他端が底板に接した斜め状態にして吊り掛け保持するようにされた、
ことを特徴とするものである。【００１２】
上記の「斜め状態」とは、柱状の第２商品の長軸が底板と鋭角をなしている状態を指すものである。また、上記第１の延長部は、側板の全幅と同じ幅とされてもよいし、側板の全幅よりも短い幅とされてもよい。また、商品パッケージを構成する板状部材は、透明な部材であることが望ましい。さらに、底板の、第２商品の他端が接する箇所を含む一部分は、その他の底板部分より高く形成されてもよい。【００１３】
本発明の商品パッケージにおいては、打ち抜き部に、上記貫通孔の周囲において該打ち抜き部の一部が折り曲げられて立ち上がり、第２商品の外周面に接して該第２商品の長軸周りの回転を規制する複数の凸部が設けられていることが望ましい。【００１４】
上記複数の凸部のうち少なくとも１つは、第２商品に下方から接する位置に設けられていることがより望ましい。ここで、「下方から接する」とは、真下から接することに限らず、斜め下方から接する等、鉛直方向下向きに作用する重力を僅かでも受けるように接することを全て含むものとする。【００１５】
また、本発明の商品パッケージにおいては、第１の延長部から上記側板の上縁と反対側に延長され、該上縁と略平行な折り曲げ線で折り曲げられて、第１商品と第２商品との間を底板側に延びる第２の延長部がさらに設けられていることが望ましい。【００１６】
この第２の延長部は、第１の延長部の全幅と同じ幅とされてもよいし、第１の延長部の全幅よりも短い、あるいは長い幅とされてもよい。また、この第２の延長部は、先端が底板に当接する位置まで延びていることが望ましい。【００１７】
さらに、上記打ち抜き部は、第１の延長部を有する側板と向かい合う側板と、吊り掛け保持されている第２商品との間に緊密に第１商品を配置可能とする位置に設けられていることが望ましい。【００１８】
また、本発明の商品パッケージは、
開口を備えた有底円筒状の容器本体と、この容器本体の開口を閉じる蓋体とを有する第２商品を収容するように構成され、
打ち抜き部は、その貫通孔に上記蓋体の一部を嵌挿させる位置に設けられていることが望ましい。【００１９】
上述のように第２商品を構成する容器本体は、内部に液体を貯えるものであることが望ましい。【００２０】
また、本発明の商品パッケージは、
概略円柱状の全体形状を有する第２商品を収容するものとされ、
打ち抜き部に設けられた貫通孔が概略円形であることが望ましい。【００２１】
また、本発明の商品パッケージにおいては、第１の延長部の少なくとも一部が、第１商品に上方から接する位置まで延ばされていることが望ましい。【００２２】
さらに本発明の商品パッケージは、
開口を備えた有底の容器本体と、この容器本体の開口を閉じる蓋体とを有する第１商品を収容するように構成され、
そして第１商品を、その蓋体が上側に位置する正立状態で底板の上に載置可能とされていることが望ましい。
【発明の効果】
【００２３】
本発明の商品パッケージによれば、第１の延長部に形成された打ち抜き部の貫通孔に第２商品の一部を嵌挿させて、第２商品をこの打ち抜き部に吊り掛け保持できるように構成されているので、商品パッケージに振動が加わったりしても、第２商品が動くことを防止可能となる。そうであれば、商品パッケージ内で第２商品の向きや姿勢を良好に整えた状態を、振動が加わる輸送等を経てもそのまま維持できるようになる。【００２４】
また上記打ち抜き部は、側板に続く第１の延長部の一部を打ち抜いて形成されるものであるから、打ち抜き部を形成しない場合と比べて、特に大きなコストアップを伴わずに形成可能である。そこで本発明の商品パッケージは、第２商品の動きを規制する部材を別途設ける場合と比べれば、大きなコストアップを招くことなく第２商品の動きを防止可能となる。
【図面の簡単な説明】
【００２５】
【図１】本発明の一実施形態による商品パッケージを示す斜視図
【図２】図１の商品パッケージの展開図
【図３】図１の商品パッケージの上面図
【図４】図１の商品パッケージの側面図
【図５】図１の商品パッケージの要部を示す斜視図
【図６】図１の商品パッケージに収容される第１商品を示す分解斜視図
【図７】図１の商品パッケージに収容される第２商品を示す分解斜視図
【図８】図１の商品パッケージを、収容する商品を除いて示す斜視図
【図９】図１の商品パッケージを、収容する商品を除いて示す正面図
【図１０】図１の商品パッケージを、収容する商品を除いて示す背面図
【図１１】図１の商品パッケージを、収容する商品を除いて示す左側面図
【図１２】図１の商品パッケージを、収容する商品を除いて示す右側面図
【図１３】図１の商品パッケージを、収容する商品を除いて示す平面図
【図１４】図１の商品パッケージを、収容する商品を除いて示す底面図
【図１５】本発明の別の実施形態による商品パッケージの側面図
【発明を実施するための形態】
【００２６】
以下、図面を参照して本発明の実施形態について説明する。図１は、本発明の一実施形態による商品パッケージ１の斜視形状を示すものである。また図２は、この商品パッケージ１の展開図であり、図３および図４はそれぞれ、この商品パッケージ１が商品を収容している状態を示す平面図、右側面図である。また図５は、この商品パッケージ１の要部を示す斜視図である。なお、本実施形態の商品パッケージ１は透明な板状部材から形成されており、この板状部材に隠れた部分も見える状態になっている。そこで図１および図３〜５では、この板状部材越しに見える部分を実線で示している。ただし、本発明の商品パッケージは透明な板状部材に限らず、不透明な板状部材から形成されてもよい。
【００２７】
図１に示されるように本実施形態の商品パッケージ１は、前側板１１、後側板１２、左側板１３、右側板１４、蓋板１５および底板１６を有して、全体として箱状に形成されている。以上の各板１１〜１６は、１枚の透明な板状部材を図２に示す展開図のように打ち抜き、それを適宜の箇所で折り曲げることによって形成されている。なお図２では、板状部材の折り曲げ箇所を破線で示している。透明な板状部材としては、例えばポリオレフィン系樹脂、ポリスチレン系樹脂、ポリエステル系樹脂、ポリアミド系樹脂等からなる透明プラスチック板（プラスチックシート）が好適に利用可能である。
【００２８】
図１に示す底板１６は、図２に示す底板部分１６Ａ、１６Ｂ、１６Ｃおよび１６Ｄを組み合わせて形成されたものである。これらの底板部分１６Ａ、１６Ｂ、１６Ｃおよび１６Ｄはそれぞれ、後側板１２、左側板１３、前側板１１および右側板１４の下端に連設して設けられている。図２に示す底板部分１６Ａ、１６Ｃには、それぞれ１６Ｌ、１６Ｍとして破線で示す折り曲げ線が形成される。これらの折り曲げ線１６Ｌ、１６Ｍは、底板部分を組み合わせる際に、組み合わせを容易にするために若干折り曲げられる部分である。
【００２９】
図２において、その他に破線で示す折り曲げ線は、基本的に、いわゆる山折り状に直角に折り曲げられる部分である。それらの折り曲げ部分は、完成した箱状の商品パッケージ１において角状の部分として現れる。ただし、後述する後延長部１２ａだけは、後側板１２に対して直角ではなく、僅かの角度だけ折り曲げるようにしてもよく、また、特に折り曲げられなくてもよい。
【００３０】
底板部分１６Ａと底板部分１６Ｂは、例えばそれぞれ接着箇所Ｒ１（図２では底板部分１６Ａの裏面に有る）と接着箇所Ｑ１（図２では底板部分１６Ｂの表面に有る）との間に接着層を配することにより、互いに接合される。一方、底板部分１６Ｃと底板部分１６Ｄも同様に、それぞれ接着箇所Ｒ２と接着箇所Ｑ２との間に接着層を配することにより、互いに接合される。そのように接合された２つの部分が組み合わされて、底板１６となる。また板状部材の前側板１１、後側板１２、左側板１３および右側板１４となる部分が折り曲げられて矩形の枠状とされた後、右側板１４と後側板１２の接合用延長部１２ｂは、それぞれ接着箇所Ｒ３（図２では右側板１４の表面に有る）と接着箇所Ｑ３（図２では接合用延長部１２ｂの裏面に有る）との間に接着層を配することにより、互いに接合される。
【００３１】
また、後側板１２、左側板１３、前側板１１および右側板１４の上端に連設して、それぞれ後延長部１２ａ、左延長部１３ａ、蓋板１５および第１延長部１４ａが設けられている。蓋板１５の先端には、さらに延長させて挿し込み部１５Ｔが設けられている。第１延長部１４ａには、さらに第２延長部１４ｂが設けられている。また第１延長部１４ａには、貫通孔１４ｄを有する打ち抜き部１４ｃが形成されている。
【００３２】
図２に展開形状を示す板状部材は、以上述べた折り曲げおよび接合を行うことにより、図１に外形を示す商品パッケージ１となる。すなわち、底板１６の上で矩形の枠状となった後側板１２、左側板１３、前側板１１および右側板１４の上部開口を一部閉じるように、第１延長部１４ａおよび左延長部１３ａが内側に折り曲げられ、さらにその上に、内側に折り曲げられた蓋板１５が配される。そして、蓋板１５の先端で折り曲げられた挿し込み部１５Ｔが、第１延長部１４ａおよび左延長部１３ａの各縁部と後側板１２との間に挿し込まれる。それにより商品パッケージ１は、箱状をなす状態に組み立てられる。この状態では、底板１６の上で枠状になっている側板１１〜１４の上部開口を、蓋板１５が閉じている。なお図１では煩雑化を避けるために、左延長部１３ａは、後述する第１商品３０と共に省略している。
【００３３】
上述のようにして商品パッケージ１を組み立てる際に、内部に第１商品３０および第２商品４０が収容される。第１商品３０および第２商品４０を収容した状態にある商品パッケージ１を上から見た状態と、右側面から見た状態を各々図３と図４に示す。これらの図３および図４に示される通り、第２商品４０は第１延長部１４ａによって、斜め状態にして吊り掛け保持されている。また後側板１２に連設された後延長部１２ａは、商品パッケージ１を展示棚に立てかけ保持するため、あるいはそこに設けた孔に展示用フックを通して商品パッケージ１を吊り下げ保持するため等に利用される。
【００３４】
なお、１枚の透明プラスチック板等の板状部材を折り曲げて形成される商品パッケージ１においては、板状部材が弾性を有するために側板１１〜１４や蓋板１５等が湾曲し易く、さらに折り曲げ部も正確に直角には変形し難くなっている。そこで多くの場合は、商品パッケージ１の箱状部分を完全な直方体状に形成することは難しい。しかし図１、３および４等では、簡易的に、上記箱状部分を完全な直方体として示している。また、折り曲げ状態の説明に関しても、直角に折り曲がっていることが理想的である箇所については、正確に直角に折り曲がっていない場合も含めて、本開示では「直角」と表記することとする。
【００３５】
ここで図５を参照して、第１延長部１４ａについて詳しく説明する。第１延長部１４ａは、右側板１４の上縁１４Ｕを折り曲げ線として内方に、つまり左側板１３側に向けて折り曲げられている。第１延長部１４ａには、概略円形の貫通孔１４ｄを有する打ち抜き部１４ｃが形成されている。この打ち抜き部１４ｃは、右側板１４の上縁１４Ｕに対して略直交する方向に延びる折り曲げ線１４Ｌを基端として、舌状に打ち抜かれたものである。そして打ち抜き部１４ｃは、上記折り曲げ線１４Ｌから底板１６側に向かうように折り曲げられている。
【００３６】
さらに打ち抜き部１４ｃには、貫通孔１４ｄの周囲において該打ち抜き部１４ｃの一部が折り曲げられて立ち上がった、複数の凸部１４ｇが設けられている。本実施形態において、この凸部１４ｇの数は一例として３つであり、そのうちの２つは貫通孔１４ｄの高さ方向中央に近い高さ位置において、互いに離れた状態にして設けられている。また、残りの１つの凸部１４ｇは、貫通孔１４ｄの下端近傍位置に設けられている。
【００３７】
以下、図１に戻って説明を続ける。第１延長部１４ａには、さらに第２延長部１４ｂが設けられている。この第２延長部１４ｂは第１延長部１４ａから、右側板１４の上縁１４Ｕと反対側に延長されたものである。そしてこの第２延長部１４ｂは、上記上縁１４Ｕと略平行な折り曲げ線１４Ｍで、下方つまり底板１６側に折り曲げられている。この第２延長部１４ｂは、先端１４ｅが底板１６に当接する位置まで延びている。
【００３８】
次に、この商品パッケージ１における商品の収容について説明する。図３に明示されるように商品パッケージ１内には、第１商品３０と、第１商品３０よりも体積が小さくて概略円柱状の全体形状を有する第２商品４０とが収容される。これらの第１商品３０および第２商品４０は、一例として化粧品である。
【００３９】
ここで図６と図７にそれぞれ、第１商品３０と第２商品４０の形状を、分解した斜視状態で示す。図６に示される通り第１商品３０は、比較的広口の開口３１ａを備えた有底円筒状の容器本体３１と、この開口３１ａを閉じる蓋体３２とを有するものである。容器本体３１内には、例えばジェル状の化粧料３３が貯えられている。一方、図７に示される通り第２商品４０は、開口４１ａを備えた比較的小径の有底円筒状の容器本体４１と、この開口４１ａを閉じる蓋体４２とを有するものである。容器本体４１内には、例えば液体の化粧料４３が貯えられている。蓋体４２も概略有底の円筒状とされている。そこで第２商品４０は、容器本体４１に蓋体４２が装着された状態では、上述したように概略円柱状の全体外形を有するものとなる。
【００４０】
以下、図１、３および４に戻って説明を続ける。枠状とされた側板１１〜１４の上部開口を蓋板１５によって閉じる前に、第１商品３０が底板１６の上に置かれる。一方第２商品４０は、その蓋体４２の部分が打ち抜き部１４ｃの貫通孔１４ｄに下方から入り込む状態とされる。次いで左延長部１３ａは、左側板１３に対して略直角となるように内側に折り曲げられて、第１商品３０の上に位置する状態とされる。また第１延長部１４ａも、右側板１４に対して略直角となるように内側に折り曲げられる。その後、第１延長部１４ａおよび左延長部１３ａの各縁部と後側板１２との間に蓋板１５の挿し込み部１５Ｔが挿し込まれ、枠状とされた側板１１〜１４の上部開口が蓋板１５によって閉じられた状態とされる。
【００４１】
上述のように側板１１〜１４の上部開口が蓋板１５によって閉じられた状態において、第１商品３０は底板１６の上に、蓋体３２が上側に位置する正立状態で載置される。このとき第１商品３０は、蓋体３２が上から接する左延長部１３ａを介して、また同じく上から接する第１延長部１４ａを介して、蓋板１５によって位置規制された状態になる。しかしそれに限らず、左延長部１３ａあるいは第１延長部１４ａと蓋体３２の上面との間に、ある程度の隙間が生じるように、側板１１〜１４の高さが設定されても構わない。また、第１商品３０の側面の前後は各々前側板１１および後側板１２によって位置規定され、第１商品３０の側面の左右は各々左側板１３および、打ち抜き部１４ｃに吊り掛け保持されている第２商品４０によって位置規定される。
【００４２】
上述のように、第１商品３０の側面の左右を各々左側板１３および第２商品４０によって位置規定するため、つまり左側板１３と第２商品４０との間に略緊密に第１商品３０を配置するためには、第１延長部１４ａにおける打ち抜き部１４ｃの打ち抜き位置を適正位置に設定して、該打ち抜き部１４ｃに吊り掛け保持される第２商品４０の位置を適正に設定すればよい。
【００４３】
また、第１延長部１４ａから底板１６側に延びる第２延長部１４ｂは、底板１６の上に載置された第１商品３０と、打ち抜き部１４ｃに吊り掛け保持された第２商品４０との間に位置する。そこで、第１商品３０の形状や大きさに対応させて、この第２延長部１４ｂの位置を適正に定めることにより、該第２延長部１４ｂによって第１商品３０を位置規定することも可能である。
【００４４】
本実施形態において、第２延長部１４ｂが第１延長部１４ａから延びる長さは、前述した通り、その先端１４ｅ（図１参照）が底板１６に接する長さとされている。そのようになっていれば、商品パッケージ１の箱状部分を、該第２延長部１４ｂによって補強する効果も得られる。
【００４５】
また本実施形態において第１延長部１４ａは、図３に明示される通り、第１商品３０に（より詳しくはその蓋体３２に）上方から接する位置まで延ばされている。つまり第１延長部１４ａは、第１商品３０と蓋板１５との間に挟まれた状態となっている。それにより、第１延長部１４ａが外部からの振動等によって、簡単に波打つように動いてしまうことが防止される。この点は、第１延長部１４ａに形成された打ち抜き部１４ｃに保持された第２商品４０の動きを防止する上で、有利なものとなる。
【００４６】
次に、第２商品４０の保持について詳しく説明する。特に図１および図４に明示されるように第２商品４０は、その長さ方向の一端（上端）が底板１６から離れ、上記一端の近傍部分である蓋体４２の一部が、打ち抜き部１４ｃに設けられた貫通孔１４ｄに嵌挿し、その他端である容器本体４１の底部が底板１６に接した斜め状態にして、打ち抜き部１４ｃに吊り掛け保持されている。なお、打ち抜き部１４ｃは本来平坦なものであるが、第２商品４０の一部を貫通孔１４ｄに嵌挿させると、一部が歪んだ状態となって第２商品４０を受け入れる。図３および図４では打ち抜き部１４ｃを、上述のように歪んだ状態で示している。
【００４７】
こうして第２商品４０が打ち抜き部１４ｃに保持されていれば、商品パッケージ１に振動が加わったりしても、また第２商品４０がその外形形状に対してかなり広い空間内に配置されていても、この第２商品４０が簡単に動いてしまうことを防止可能となる。そうであれば、商品パッケージ１内で第２商品４０の向きや姿勢を良好に整えた状態を、振動が加わる輸送等を経てもそのまま維持できるようになる。ここで、第２商品４０の向きや姿勢を良好に整えた状態とは、例えば容器本体４１の外側面の一部に製品名が表記されていたり、あるいはラベルが貼られたりしている場合は、その一部が斜め上方を向いて、透明な商品パッケージ１越しにその表記やラベルがユーザーに良く視認され得る状態である。
【００４８】
本実施形態における第２商品４０は、前述した通り、特に容器本体４１に液体化粧料４３を貯えるものである。このような第２商品４０が動いてしまって、例えば底板１６の上に横たわる状態になると、蓋体４２が緩くなって容器本体４１から液体化粧料４３が漏れ出る事態も考えられる。しかし、上述のようにして第２商品４０の動きが防止されれば、このような事態を招くことも防止される。
【００４９】
以上のように第２商品４０の動きを防止する効果は、前述した３つの凸部１４ｇが設けられていることにより、さらに確実に得られるようになっている。すなわちこれらの凸部１４ｇは、概略円柱状である第２商品４０の蓋体４２の外周面を３箇所で押えている。そこで、第２商品４０が円形の貫通孔１４ｄ内で長軸周りに回転したり、あるいはこの貫通孔１４ｄ内から抜け出てしまうことが防止される。この点からも、第２商品４０の向きや姿勢を良好に整えた状態を、確実に維持できるようになる。
【００５０】
なお、３つの凸部１４ｇによる上記の効果をより高めるためには、３つの凸部１４ｇを基端から先端に向かってやや内向き（つまり概略円形の貫通孔１４ｄの中心軸に近付く方向）に形成し、透明プラスチック板等からなる該凸部１４ｇの弾性を利用して、凸部１４ｇが蓋体４２の外周面に圧接するようにしておくのが望ましい。ただし、そのような圧接を果たす構成とすることは、必ずしも必要ではない。例えば、第２商品４０が多角柱状のものである場合は、複数の凸部１４ｇが各々、第２商品４０の互いに異なる外側面に接する構成とすることにより、第２商品４０の回転を抑えることができる。
【００５１】
また、特に本実施形態では、３つの凸部１４ｇの中の１つが、貫通孔１４ｄの下端近傍位置に設けられている。つまりこの１つの凸部１４ｇは、第２商品４０に下方から接する状態になっている。この状態になっていれば、第２商品４０の容器本体４１と蓋体４２との間に隙間Ｓ（図４参照）が有っても、この隙間Ｓに薄い打ち抜き部１４ｃが入り込むようにして、第２商品４０が貫通孔１４ｄ内で下方に動いてしまうことが防止される。そこで、上記隙間Ｓに打ち抜き部１４ｃが入り込んで、打ち抜き部１４ｃから第２商品４０を取り出すのが困難になることを防止可能となる。
【００５２】
以上説明した打ち抜き部１４ｃは、第１延長部１４ａの一部を打ち抜いて形成されるものであるから、打ち抜き部１４ｃを形成しない場合と比べて、特に大きなコストアップを伴わずに形成可能である。そこで本実施形態の商品パッケージ１は、第２商品４０の動きを規制する部材を別途設ける場合と比べれば、大きなコストアップを招くことなく第２商品４０の動きを防止可能となる。
【００５３】
以上、第１商品３０および第２商品４０が化粧品である場合に適用された実施形態について説明したが、本発明の商品パッケージは、第１商品および／または第２商品が化粧品以外の商品である場合にも同様に適用可能である。さらに本発明の商品パッケージは、外形形状が略円柱状以外の柱状である第２商品を収容するように構成することも可能である。
【００５４】
また、以上説明した実施形態における第２商品４０は全体形状が概略円柱状のものであるが、本発明の商品パッケージが収容する第２商品は、全体形状が概略円柱状以外の柱状である第２商品であってもよい。概略円柱状以外の柱状としては、例えば前述した多角柱状や、いわゆるチューブ状等が挙げられる。チューブ状の全体形状を有する第２商品として具体的には、例えばジェル状の化粧料等を中身として収容し、押し出し口から中身が押し出されるように構成された商品が挙げられる。ここで、全体形状が概略円柱状の第２商品や、一部形状が概略円柱状となっているチューブ状の第２商品は回転しやすいことを考えると、前述した複数の凸部１４ｇを設けて第２商品の回転を防止する構成は、そのような回転しやすい第２商品を収容する場合に適用するのが特に好ましいと言える。
【００５５】
また、以上説明した実施形態において、第１商品３０は通常の販売用の主たる商品であり、第２商品４０は試供品等の商品であるが、それとは反対に、第２商品４０が通常の販売用の商品であって、第１商品３０が試供品等の商品であってもよい。さらに、第１商品３０および第２商品４０が共に通常の販売用の主たる商品であってもよいし、また、第１商品３０および第２商品４０が共に通常の販売用ではない試供品等であってもよい。
【００５６】
また、以上説明した実施形態において第２商品４０は、商品パッケージ１の正面側から見て第１商品３０の右側に配置されているが、それとは反対に、第１商品３０の左側に第２商品４０が配置されてもよい。さらに、第１商品３０の右側、左側にそれぞれ第２商品４０が配置されてもよい。
【００５７】
さらに商品パッケージ１の底板１６には、図１５において２点鎖線で示すような上げ底部１６Ｕを設けてもよい。この上げ底部１６Ｕは、詳しくは、同じく２点鎖線で示す第２商品４０の他端（図中の下端）が接する箇所を含む一部分が、その他の底板部分よりも高く形成された部分である。このような上げ底部１６Ｕを設けることにより、斜めに保持する第２商品４０の保持角度を、所望の角度に調整することが可能になる。この上げ底部１６Ｕは例えば、底板１６のその他の部分よりも盛り上がるように１枚の底板１６を成形して形成することができる。あるいは、平らな１枚の底板１６の上に、別に作成した踏み台状の底板部品を接合したり、別に作成した平らな小さい底板部品を底板１６の上に配置して、その両端を前側板１１と後側板１２に各々接合したりして形成することができる。
【００５８】
なお参考のために、本実施形態の商品パッケージ１を、収容する第１商品３０および第２商品４０を除いて示す斜視図、正面図、背面図、左側面図、右側面図、平面図および底面図を、それぞれ図８、図９、図１０、図１１、図１２、図１３および図１４に示す。
【符号の説明】
【００５９】
１    商品パッケージ
１１    前側板
１２    後側板
１３    左側板
１４    右側板
１４ａ  第１延長部
１４ｂ  第２延長部
１４ｃ  打ち抜き部
１４ｄ  貫通孔
１４ｅ  第２延長部の先端
１４ｇ  凸部
１４Ｌ、１４Ｍ    折り曲げ線
１４Ｕ  右側板の上縁
１５    蓋板
１６    底板
１６Ｕ  底板の上げ底部
３０    第１商品
３１    第１商品の容器本体
３２    第１商品の蓋体
４０    第２商品
４１    第２商品の容器本体
４２    第２商品の蓋体
【図１】
2019087233.tif 000003
【図２】
2019087233.tif 000004
【図３】
2019087233.tif 000005
【図４】
2019087233.tif 000006
【図５】
2019087233.tif 000007
【図６】
2019087233.tif 000008
【図７】
2019087233.tif 000009
【図８】
2019087233.tif 000010
【図９】
2019087233.tif 000011
【図１０】
2019087233.tif 000012
【図１１】
2019087233.tif 000013
【図１２】
2019087233.tif 000014
【図１３】
2019087233.tif 000015
【図１４】
2019087233.tif 000016
【図１５】
2019087233.tif 000017
【国際調査報告】
2019087233.tif 000018
2019087233.tif 000019
2019087233.tif 000020
2019087233.tif 000021